(57)【要約】【課題】プレーヤ本体内へのテレフォンカード等の異物挿入を阻止できるディスクプレーヤを提供する。【解決手段】８ｃｍと１２ｃｍのディスクが挿入口２０より挿入可能なディスクプレーヤに関し、８ｃｍのディスクを再生位置に停止させ、１２ｃｍのディスクは停止させない突起部１０１ｂはディスクをプレーヤ内に搬送する搬送ローラの中心から後方８６ｍｍ以内の範囲に、且つディスクの左右方向の移動を規制するガイドの当接部から左右方向に５４ｍｍ以内の範囲に配設される。【選択図】      図１
2004272980.tif 000002
【特許請求の範囲】
【請求項１】
小径及び大径のディスクの上面に当接して該ディスクの位置を規制する第１のガイドと、
該第１のガイドの後方に位置し、上方に付勢された状態で前記ディスクの下面に当接して回転することにより前記ディスクを後方に搬送する搬送ローラと、
前記第１のガイドの前方に位置し、前記ディスクの下面に当接して小径のディスクを大径のディスクより前記ディスクの後方が上方に傾くように前記ディスクの傾きを規制する第２のガイドと、
前記ディスクの側面に当接して前記ディスクの左右の位置を規制する第３のガイドと、
後方に搬送される小径のディスクに当接して再生位置に停止させ、大径のディスクには当接しない高さを有する突起部と、
を有するディスクプレーヤにおいて、
前記突起部は前記搬送ローラの中心から後方８６ｍｍ以内の範囲に、且つ前記第３のガイドの前記ディスクの当接部から左右方向に５４ｍｍ以内の範囲に配設されることを特徴とするディスクプレーヤ。
【請求項２】
前記突起部は左右一対の突起部からなり、夫々左右方向に５４ｍｍ以内に配設されることを特徴とする請求項１に記載のディスクプレーヤ。
【請求項３】
前記小径及び大径のディスクは、直径が夫々８０ｍｍと１２０ｍｍのディスクであることを特徴とする請求項１から２に記載のディスクプレーヤ。
【請求項４】
前記搬送ローラによりテレフォンカードが搬送されると、前記搬送ローラの上方への付勢力によりテレフォンカードの後方が上方へ変形して前記突起部に当接し搬送が停止することを特徴とする請求項１から３に記載のディスクプレーヤ。
【発明の詳細な説明】
【０００１】
【発明の属する技術分野】
この発明は、ＣＤやＤＶＤ等のディスク（記録媒体）を再生等するためのディスクプレーヤに関する。
【０００２】
【従来の技術】
従来より、携帯型や車載型のディスクプレーヤが提案されている。また、近年においては、８ｃｍディスクと１２ｃｍディスクの両方の再生が行なえるディスクプレーヤも提案されている（特許文献１参照）。更に、ＣＤだけでなくＤＶＤの再生も可能なディスクプレーヤが提案されている。
【０００３】
【特許文献１】
特開２００１−１４３３５２号公報
【０００４】
【発明が解決しようとする課題】
このようなディスクプレーヤにおいて、テレフォンカード等の異物がプレーヤ本体内に入れられてしまうのを阻止する機構が求められる。
【０００５】
テレフォンカードは縦８６ｍｍ、横５４ｍｍの長方形で厚さは０．２７ｍｍである。そこで、テレフォンカードのプレーヤ本体内への挿入防止機構として、図１１に示すように、ディスク装填口２０の装置内側には搬送ローラ５が設けられている。この搬送ローラ５はトーションばね５２によって上方（図右側）に付勢されている。ディスクＤ１（またはＤ２）がディスク装填口２０より挿入されると、ディスクＤ１が搬送ローラ５に周面に接し、この搬送ローラ５を押し下げると共にこの搬送ローラ５によって装置内へと搬送される。
【０００６】
搬送ローラ５の上方には接触ガイド部Ｐ１とストッパＰ２とが設けられている。テレフォンカードは上述したように厚さが０．２７ｍｍと薄い為、差し込まれたテレフォンカードでは搬送ローラ５を押し下げることができない。その為、テレフォンカードはストッパ部Ｐ２に向かって進み、ストッパ部Ｐ２に当って搬送が阻止されることになる（図１１の（ｂ）参照）。
【０００７】
しかしながら、テレフォンカードを縦方向に挿入された場合、横方向に挿入された場合と比較してカードとストッパ部Ｐ２とが接触する範囲が狭い。その為、カードがストッパ部Ｐ２に当っても、搬送ローラ５によって更に挿入方向に押されカードがストッパ部Ｐ２から外れて装置内へ搬送されてしまう恐れがあった。
【０００８】
【課題を解決するための手段】
この発明にかかるディスクプレーヤは、上記の課題を解決するために、小径及び大径のディスクの上面に当接して該ディスクの位置を規制する第１のガイドと、
該第１のガイドの後方に位置し、上方に付勢された状態で前記ディスクの下面に当接して回転することにより前記ディスクを後方に搬送する搬送ローラと、
前記第１のガイドの前方に位置し、前記ディスクの下面に当接して小径のディスクを大径のディスクより前記ディスクの後方が上方に傾くように前記ディスクの傾きを規制する第２のガイドと、
前記ディスクの側面に当接して前記ディスクの左右の位置を規制する第３のガイドと、
後方に搬送される小径のディスクに当接して再生位置に停止させ、大径のディスクには当接しない高さを有する突起部と、
を有するディスクプレーヤにおいて、
前記突起部は前記搬送ローラの中心から後方８６ｍｍ以内の範囲に、且つ前記第３のガイドの前記ディスクの当接部から左右方向に５４ｍｍ以内の範囲に配設される。
【０００９】
また、前記突起部は左右一対の突起部からなり、夫々左右方向に５４ｍｍ以内に配設される。
【００１０】
また、前記小径及び大径のディスクは、直径が夫々８０ｍｍと１２０ｍｍのディスクである。
【００１１】
また、前記搬送ローラによりテレフォンカードが搬送されると、前記搬送ローラの上方への付勢力によりテレフォンカードの後方が上方へ変形して前記突起部に当接し搬送が停止する。
【００１２】
【発明の実施の形態】
以下、この発明の実施形態を図１乃至図１０に基づいて説明する。
（ディスクプレーヤの概要）
図１は各種駆動機構を省略した状態のディスクプレーヤ（シャーシ部）を示しており、同図（ａ）は平面図、同図（ｂ）は正面図、同図（ｃ）は右側面図である。ディスクプレーヤ本体部１（図１では本体シャーシ１１が示される）は、シャーシベース１０１内に設けられている。前記本体シャーシ１１はその下面側に設けられたコイルバネダンパー１０２（３カ所に配置している）によってシャーシベース１０１内で弾性的に支持される。シャーシベース１０１の正面側にはディスク装填口２０が形成されている。ディスク装填口２０には樹脂製の右ディスクガイド２Ｒ及び左ディスクガイド２Ｌが設けられおり、ディスク装填口２０は概ねＴ字状を成す。右ディスクガイド２Ｒの上面右端と左ディスクガイド２Ｌの上面左端との距離は１２ｃｍディスクに対応する。右ディスクガイド２Ｒの内側壁面と左ディスクガイド２Ｌの内側壁面との距離は８ｃｍディスクの直径よりも幾分狭くしてある。
【００１３】
１２ｃｍディスクの挿入時動作と８ｃｍディスクの挿入時動作には違いが存在する。これについては、後で詳述する。
【００１４】
ここで、このディスクプレーヤにおいては、ディスク回転可能状態（プレイ状態）、ディスクの出し入れのための状態（イジェクト状態）、前記イジェクト状態とプレイ状態との間の移行状態が存在する。以下、各状態におけるディスク搬送関連の概要を図２及び図３に基づいて説明し、各状態におけるモータ１２の駆動力伝達関連の概要を図３乃至図８に基づいて説明していく。
▲１▼プレイ状態（ディスク搬送関連）
図２（ａ）に示しているように、クランパー３は降下状態となり、図示しないディスクがクランプされた状態となる。クランパー３は、その奥側に形成された支点部３ａ・３ａを支点として揺動し、浮上状態と降下状態を形成する。クランパー３のフランジ部３ｂは、ディスク状を成して回転自在に設けられている。前記クランプ部３ｂに対面する位置にはディスク受け部４が配置されている。ディスク受け部４は、図示しないモータによって回転される。ディスクプレーヤ本体部１内に装填されたディスクは、その中心部がフランジ部３ｂとディスク受け部４とによってクランプされ、ディスク受け部４の回転によって回転する。
【００１５】
ディスク装填口２０の近傍にはディスクをディスクプレーヤ本体部１に出し入れするための搬送ローラ５が設けられている（図３参照）。プレイ状態では、搬送ローラ５はディスクの搬送を終えて、ローラ駆動機構部５０による退避動作によってディスクから離間した状態をとる。
【００１６】
ローラ駆動機構部５０は、取付板５１と、トーションばね５２Ｒ・５２Ｌと、第１ローラ用ギヤ５３と、第２ローラ用ギヤ５４と、第３ローラ用ギヤ５５とを備えて成り、これらギヤ群はディスクプレーヤ本体部１の左側面に設けられている。第３ローラ用ギヤ５５は、本体シャーシ１１の左側面に固定された軸を中心にして回転自在に設けられている。この第３ローラ用ギヤ５５に伝達ギヤ５６（図３参照）から駆動力が伝達される。
【００１７】
第２ローラ用ギヤ５４は第３ローラ用ギヤ５５に歯合すると共にリンクレバー５７にて第３ローラ用ギヤ５５の軸に係合している。第２ローラ用ギヤ５４は回転及びその軸移動が可能となる。また、第１ローラ用ギヤ５３は第２ローラ用ギヤ５４に歯合すると共にリンクレバー５８にて第２ローラ用ギヤ５４の軸に係合している。第１ローラ用ギヤ５３は回転及びその軸移動が可能となる。
【００１８】
第１ローラ用ギヤ５３の軸は取付板５１に設けられている。取付板５１はトーションばね５２Ｌの支持軸を中心にして回動可能に設けられている。また、前述した搬送ローラ５は第１ローラ用ギヤ５３の軸に連結されている。従って、取付板５１の回動によって搬送ローラ５の位置が変化することになり、ディスク搬送状態とディスクからの退避状態とを形成することができる。
【００１９】
本体シャーシ１１の両側面位置にはスライダー６Ｌ・６Ｒが設けられている。図３（ｄ）にスライダー６Ｌを拡大して示している（なお、この図３（ｄ）はイジェクト状態を示している）。スライダー６Ｌは本体シャーシ１１の側面に位置する本体部と、本体シャーシ１１の上面側に位置する駆動補助部６００とから成る。本体部と駆動補助部６００との関係については、「モータ１２の駆動力伝達関連の概要」において説明する。
【００２０】
プレイ状態においては、スライダー６Ｌ・６Ｒは最も手前側に位置する。スライダー６Ｌ・６Ｒには傾斜状（段状）の第１ガイド溝６１が形成されている。第１ガイド溝６１には第１ローラ用ギヤ５３の軸が係合している。スライダー６Ｌ・６Ｒが最も手前側に位置した状態では、図２（ａ）に示したように、第１ガイド溝６１の下側（奥側）に第１ローラ用ギヤ５３の軸が係合することになり、取付板５１はトーションばね５２Ｌ・５２Ｒの付勢に抗して回動し、搬送ローラ５が下がってディスクから退避した状態となる。
【００２１】
スライダー６Ｌ・６Ｒには傾斜状（段状）の第２ガイド溝６２が形成されている。この第２ガイド溝６２にロックレバー１３Ｌ・１３Ｒのガイド凸部１３ａが係合している。ロックレバー１３Ｌ・１３Ｒは、軸１３ｂを中心に回動自在に設けられている。スライダー６Ｌ・６Ｒが最も手前側に位置した状態では、第２ガイド溝６２の下側（奥側）にガイド凸部１３ａが係合することになり、ロックレバー１３Ｌ・１３Ｒの上端部１３ｃはシャーシベース１０１の上面の係合穴（図示せず）から離脱する。従って、プレイ状態では前述したコイルバネダンパー１０２による本体シャーシ１１の弾性支持状態が形成される。
【００２２】
スライダー６Ｌには押し上げ突起６４が形成されている。プレイ状態では、前記押し上げ突起６４はクランパー３の係合片３ｃから離間することになり、クランパー３は降下状態となる。
▲２▼移行状態（ディスク搬送関連）
移行の終りがけの状態（完全なイジェクトの少し前の状態）を図２（ｂ）に示している。この移行状態においては、スライダー６Ｌ・６Ｒは奥側に位置する。図の状態では、第１ガイド溝６１の手前側箇所に第１ローラ用ギヤ５３の軸が係合し、取付板５１はトーションばね５２Ｌ・５２Ｒの付勢を受けて回動し、搬送ローラ５を上方向に移動させる。また、この状態では、第２ガイド溝６２の上段部にガイド凸部１３ａが係合し、ロックレバー１３Ｌ・１３Ｒの上端部１３ｃはシャーシベース１０１の上面の係合穴に係合することになり、コイルバネダンパー１０２による本体シャーシ１１の弾性支持が解除される（本体シャーシ１１はシャーシベース１０１に位置決め固定される）。また、この状態では、押し上げ突起６４がクランパー３の係合片３ｃに当接し、クランパー３を浮上させる。
▲３▼イジェクト状態（ディスク搬送関連）
イジェクト状態ではスライダー６Ｌ・６Ｒは最も奥側に位置する。この状態では、第１ガイド溝６１の最も手前側に第１ローラ用ギヤ５３の軸が係合することになり、搬送ローラ５は最も上位置に移動し、ディスク搬送可能状態となる。第１ガイド溝６１の手前側部分は高さ方向に幾分大きく形成されており、第１ローラ用ギヤ５３の軸移動（搬送ローラ５の移動）が許容される。すなわち、ディスクが挿入される際にはこのディスクに押されて搬送ローラ５は幾分下がることができる。また、このイジェクト状態では、本体シャーシ１１の位置決め固定状態が維持されると共に、クランパー３を浮上させた状態が維持される。
▲４▼イジェクト状態（モータ１２の駆動力伝達関連）
図３（ａ）（ｂ）（ｃ）（ｄ）及び図４にはイジェクト状態が示されている。この状態でディスクをプレーヤ本体部１に装填することができる。ディスクがディスク装填口２０に挿入されたことがセンサー１４によって検出されると、モータ１２に電力が供給され、モータ１２は回転する。モータ１２の軸に設けられたウォームギヤ７０を介して駆動力が第１ギヤ７２に伝えられる。
【００２３】
図１０（ａ）にも示しているように、第１ギヤ７２の小ギヤ部には第２ギヤ７３が歯合されている。第２ギヤ７３は回動プレート７１に設けられている。回動プレート７１は第１ギヤ７２の軸を中心にして回動する。第２ギヤ７３は第３ギヤ７４の大ギヤ部に歯合している。第３ギヤ７４の小ギヤ部は第４ギヤ７５の大ギヤ部に歯合している。第４ギヤ７５の小ギヤ部は、駆動補助部６００に形成されたラック部６００ａに歯合し得るように設けられている。また、第３ギヤ７４の大ギヤ部はローラギヤ切り離し機構７６におけるギヤ７６ｂに歯合している。ギヤ７６ｂはギヤ７６ｃに歯合している。ギヤ７６ｃは伝達ギヤ５６に歯合し得るように設けられている。ギヤ７６ｂは可動プレート７６ａ上に設けられている。可動プレート７６ａはギヤ７６ｂの軸を中心にして回動する。
【００２４】
図３（ａ）に示しているように、ディスクプレーヤ本体部１の上面側にはディスク感知レバー１５が設けられている。ディスク感知レバー１５は軸１５ａを中心にして回動する。ディスクを更に押し込んでいくと、８ｃｍディスクであれば突起１５ｂに当たってディスク感知レバー１５を反時計回りに回動させることになり、１２ｃｍディスクであれば突起１５ｃに当たってディスク感知レバー１５を反時計回りに回動させることになる。この回動によって、作動突起１５ｄは、駆動補助部６００の当たり部６００ｂを押す。
【００２５】
駆動補助部６００は、スライダー６Ｌに対して、スライド方向に所定距離だけ図示しないばねに抗して移動できるように設けられている。このため、前記作動突起１５ｄが駆動補助部６００の当たり部６００ｂを押すと、駆動補助部６００だけが小さな力で前記ばねに抗して移動し、そのラック部６００ａが第４ギヤ７５の小ギヤ部に歯合する。第４ギヤ７５の駆動力で駆動補助部６００が更に移動すると、駆動補助部６００の一部が、スライダー６Ｌの一部に当たり、スライダー６Ｌをスライドさせることになる。
【００２６】
駆動補助部６００にはガイド溝６００ｃが形成されている。イジェクト状態においては、ガイド溝６００ｃの入り口に可動プレート７６ａに形成された第１突起７６ｄが位置している。また、このイジェクト状態においては、可動プレート７６ａに形成された第２突起７６ｅは、回動プレート７１に形成された突起７１ａに係合されている（図１０（ａ）参照）。
▲５▼移行状態（モータ１２の駆動力伝達関連）
駆動補助部６００が移動することにより、図５及び図６に示すように、第１突起７６ｄがガイド溝６００ｃ内に案内される。これにより、可動プレート７６ａが反時計回りに回動し、ギヤ７６ｃは伝達ギヤ５６から離間する（ローラギヤ切り離し）。また、可動プレート７６ａが反時計回りに回動することにより、第２突起７６ｅと突起７１ａとの係合が解除される。
▲６▼プレイ状態（モータ１２の駆動力伝達関連）
係合が解除された回動プレート７１は、ギヤ７２の回動による慣性により、図７に示すように、自ら時計回りに回動する。そして、ギヤ７３がダミーギヤ（歯車の歯一つ分）に歯合することで更に回動し、ギヤ７３がラック駆動ギヤ１８に歯合する。
【００２７】
ロックレバー１７は軸１７ｂを中心にして回動自在に設けられており、トーションばね１７ｃによって反時計回りに付勢させれている。ロックレバー１７の左側位置（反時計回りで下がる側）には第１係止突起１７ａが設けられている。この第１係止突起１７ａは、回動プレート７１の周面に当接しているが、回動プレート７１が時計回りに回動したことで、図１０（ｂ）にも示すように、前記周面に形成されている凹部７１ｂに係止突起１７ａが係合する。これにより、プレイ状態では、モータ１２の駆動力をラック駆動ギヤ１８に伝える状態が保持されることになる。また、ロックレバー１７の右側位置（反時計回りで上がる側）には第２係止突起１７ｄが設けられている。この第２係止突起１７ｄは、ラック機構３０の凹部３０ａから離脱する。これにより、プレイ状態ではラック機構３０の動作が許容される。
【００２８】
ラック機構３０はユニバーサルジョイント３１を介して光ピックアップベース３２に連結されている。図７に示しているように、光ピックアップベース３２は２本のシャフト３３Ａ・３３Ｂに案内されてスライドする。２本のシャフト３３Ａ・３３Ｂは、取付ベース３４Ａ・３４Ｂ・３４Ｃ・３４Ｄによって本体シャーシ１１に支持されている。また、シャフト３３Ａの一端（本体シャーシ中央側）は、高さ調整機構３５Ｃに連結されており、シャフト３３Ｂの両端は、高さ調整機構３５Ａ・３５Ｂに連結されている。高さ調整機構３５Ａ・３５Ｂ・３５Ｃを調節することにより、光ピックアップベース３２の姿勢を調整することができる。光ピックアップベース３２とラック機構３０とがユニバーサルジョイント３１を介して連結されるため、光ピックアップベース３２の姿勢が変化しても、ラック機構３０の姿勢が変化することはない。
【００２９】
上述したプレイ状態からイジェクト状態に移行するときには、ギヤ７２は反時計回りに回転し、これによってラック駆動ギヤ１８も反時計回りに回転し、ラック機構３０は光ピックアップベース３２を中心部へ移動させる。これにより、図８に示しているように、ラック機構３０の当たり部３０ｂがロックレバー１７の凸部１７ｅを押す。このため、ロックレバー１７は時計回りに回動し、第２係止突起１７ｄはラック機構３０の凹部３０ａに係合する。これにより、イジェクト状態に移行するときにはラック機構３０は固定された状態となる。また、ロックレバー１７が時計回りに回動することで、第１係止突起１７ａは凹部７１ｂから離脱する。ギヤ７２は反時計回りに回転しているため、回動プレート７１はギヤ７２の回転の慣性で反時計回りに回動し、ギヤ７３が第３ギヤ７４に歯合する（図４参照）。
（要部の詳細な説明）
▲７▼ディスク挿入関連
図１（ａ）に示したように、ディスク装填口２０には右ディスクガイド２Ｒ及び左ディスクガイド２Ｌが設けられおり、ディスク装填口２０は概ねＴ字状を成す。１２ｃｍディスクＤ１の挿入時には、図９に示すように、当該ディスクＤ１はディスクガイド２Ｒ・２Ｌの上面に案内され、略水平状態を保ったままプレーヤ本体部１内に搬送されることになる。なお、搬送ローラ１５は１２ｃｍディスクＤ１に押されて幾分下がり（８ｃｍディスクＤ２のときも同様）、ディスクＤ１との接触状態を保ってディスクＤ１を搬送することになる。一方、８ｃｍディスクＤ２は、その直径近傍部分においてはディスクガイド２Ｒ・２Ｌの上面に載ることができるが、直径近傍部分がプレーヤ本体部内に入り込むと、ディスクガイド２Ｒ・２Ｌによる支えが無くなり、８ｃｍディスクＤ２の後端の下がりが許容され、先端側が上方向に向くことになる。
【００３０】
シャーシベース１０１の上板の下面には、突起１０１ｂ・１０１ｂが形成されている（図１（ａ）参照）。また、クランパー３の下面には、図９（ａ）に示しているように、突起３ｄ・３ｄが形成されている。上方向に向いて進む８ｃｍディスクＤ２の先端側は、突起３ｄ・３ｄ（或いは、突起１０１ｂ・１０１ｂ）に当たり、ディスクＤ２はその中心部がディスク受け部４上に位置した状態で停止する。図１に示すように突起１０１ｂ・１０１ｂ（或いは、突起３ｄ・３ｄ）の間隔Ｗ１はテレフォンカードの横方向の長さ（５４ｍｍ）以下になり、且つ左右のディスクガイド２Ｒ・２Ｌとの夫々の距離Ｗ２、Ｗ３も５４ｍｍ以下になる位置に配置されている。さらに図９に示すように搬送ローラ５の中心からの距離Ｗ４はテレフォンカードの縦方向の長さ（８６ｍｍ）以下になるように配置されている。なお、突起１０１ｂ・１０１ｂと突起３ｄ・３ｄはいずれかが形成されていればよい。
【００３１】
シャーシベース１０１の上板の手前側の下面には規制プレート２１が設けられている。ディスクＤ１及びディスクＤ２はいずれも規制プレート２１の接触ガイド部Ｐ１に接触しつつ挿入されることになる。また、接触ガイド部Ｐ１よりも奥側の位置にストッパ部Ｐ２が形成されており、接触ガイド部Ｐ１とストッパ部Ｐ２との間の部分は凹形状を成している。この凹形状の箇所に搬送ローラ５が位置する。ディスク装填口２０のディスクガイド２Ｒ・２Ｌの上面と接触ガイド部Ｐ１とに接しながら進むディスクＤ１・Ｄ２の進行方向上に前記搬送ローラ５の周面が位置している。そして、前記ストッパ部Ｐ２は、ディスクＤ１・Ｄ２の進行方向外の箇所で前記周面の接線のうち前記接触ガイド部Ｐ１を通る接線の方向に対応する箇所に存在している。
【００３２】
ディスクＤ１・Ｄ２の挿入初期段階では、前記ディスクＤ１・Ｄ２は前記接触ガイド部Ｐ１とディスクガイド２Ｒ・２Ｌの上面とに接しながら進み、挿入途中で搬送ローラ５の周面に接し、この搬送ローラ５を下方に押し下げると共にこの搬送ローラ５によって搬送される。ディスクＤ１・Ｄ２の進行方向上には前記ストッパ部Ｐ２は存在しないため、ディスクＤ１・Ｄ２の搬送が阻害されることはない。なお、ディスクＤ２はストッパ部Ｐ２の近傍箇所を通過した後にディスクＤ２の後端下がりが許容され、ディスクＤ２は上方向に進むことになる。
【００３３】
また、テレフォンカード等が挿入された場合も、搬送ローラ５によってテレフォンカードの前端は上方に押し上げられ、テレフォンカードもディスクＤ２と同様に上方向に進むことになる。
【００３４】
そして、上述した位置に突起１０１ｂ・１０１ｂ（或いは３ｄ・３ｄ）を配置することにより、ディスク装填口２０のどの位置から縦方向にカードが挿入されてもカードは搬送ローラ５を通過する前に突起１０１ｂ・１０１ｂに当って搬送が阻止されることになる。
【００３５】
なお、上述した実施例では突起部１０１ｂ・１０１ｂ（或いは３ｄ・３ｄ）は２つで説明したが、これに限定されるものではなく８ｃｍディスクの位置決めができれば数はいくらでもよい。
【００３６】
【発明の効果】
以上説明したように、いたずらによってディスク填口からテレフォンカード等を差し込もうとした場合でもカードを突起部に当ててその搬送を阻止でき、さらにその突起部は８ｃｍディスクの位置決めようの突起と兼ねることで、簡単な構成で且つ低コストで実現可能である。
【図面の簡単な説明】
【図１】この発明の実施形態のディスクプレーヤ（駆動機構を省略している）を示した図であって、同図（ａ）は平面図、同図（ｂ）は正面図、同図（ｃ）は右側面図である。
【図２】同図（ａ）はプレイ状態を示した側面図、同図（ｂ）は移行状態（イジェクトの少し前段階の状態）を示した側面図である。
【図３】この発明の実施形態のディスクプレーヤ（駆動機構を記載している）を示した図であって、同図（ａ）は平面図、同図（ｂ）は左側面図、同図（ｃ）は右側面図、同図（ｃ）は右側面の説明図である。
【図４】この発明の実施形態のディスクプレーヤの平面図である。
【図５】この発明の実施形態のディスクプレーヤの平面図である。
【図６】この発明の実施形態のディスクプレーヤの平面図である。
【図７】この発明の実施形態のディスクプレーヤの平面図である。
【図８】この発明の実施形態のディスクプレーヤの平面図である。
【図９】ディスク挿入時の状態を示した説明図である。
【図１０】同図（ａ）は図４に対応させた説明図であり、同図（ｂ）は図７に対応させた説明図である。
【図１１】従来のテレフォンカード挿入時の阻止状態を示した説明図である。
【符号の説明】
１      プレーヤ本体部
２Ｒ    右ディスクガイド
２Ｌ    左ディスクガイド
３      クランパー
３ａ    支点部
３ｅ    サイド凸部
５      搬送ローラ
６Ｒ    スライダー
６Ｌ    スライダー
１１    本体シャーシ
１１ｃ  角穴
１２    モータ
２０    ディスク装填口
２１    規制プレート
Ｐ１    接触ガイド部
Ｐ２    ストッパ部
３０    ラック機構
３１    ユニバーサルジョイント
１０１  シャーシベース
１０１ｂ、３ｄ  突起部
【図１】
2004272980.tif 000003
【図２】
2004272980.tif 000004
【図３】
2004272980.tif 000005
【図４】
2004272980.tif 000006
【図５】
2004272980.tif 000007
【図６】
2004272980.tif 000008
【図７】
2004272980.tif 000009
【図８】
2004272980.tif 000010
【図９】
2004272980.tif 000011
【図１０】
2004272980.tif 000012
【図１１】
2004272980.tif 000013